【手続補正書】
【提出日】平成18年11月17日(2006.11.17)
【手続補正１】
【補正対象書類名】明細書
【補正対象項目名】発明の名称
【補正方法】変更
【補正の内容】
【発明の名称】画像処理装置、画像処理方法、および画像処理プログラムを記録した記録媒体
【手続補正２】
【補正対象書類名】明細書
【補正対象項目名】特許請求の範囲
【補正方法】変更
【補正の内容】
【特許請求の範囲】
【請求項１】  複数の画素からなる実写の画像データを処理する画像処理装置であって、
前記画像データを入力する画像データ入力手段と、
前記画像データ全体を対象とし、該画像データを構成する画素から、予め用意した複数の手法でサンプリングを行ない、該サンプリングの結果を所定の基準で集計し、集計結果に基づいて画像を評価する画像データ評価手段と、
該評価結果に基づいて、前記画像データに対する画像処理の内容を決定する決定手段と、
該決定された内容の画像処理を、前記画像データ全体に施して、該画像データを変換する変換手段と
を備えた画像処理装置。
【請求項２】  請求項１記載の画像処理装置であって、
前記画像データ評価手段は、前記集計を行なう際の所定の評価基準を重み付け係数の形で予めもつとともに、該重み付け係数を用いて前記評価結果を合算することにより前記集計を行ない、該集計結果に基づいて前記画像データを評価する手段である画像処理装置。
【請求項３】  上記請求項１または２に記載の画像処理装置であって、
前記サンプリングの複数の手法の一つは、前記画像データから均等にサンプリングする手法である画像処理装置。
【請求項４】  上記請求項１ないし請求項３のいずれかに記載の画像処理装置であって、
前記サンプリングの複数の手法の一つは、各画素における隣接画素との変化度合いが所定以上大きい画素をエッジ画素としてサンプリングの対象とする手法である画像処理装置。
【請求項５】  上記請求項１ないし請求項４のいずれかに記載の画像処理装置であって、前記評価基準に対する重み付け係数を変更可能とした画像処理装置。
【請求項６】  上記請求項１ないし請求項５のいずれかに記載の画像処理装置であって、前記評価基準に基づく評価結果に基づいて当該評価結果の重み付け係数を変化させる画像処理装置。
【請求項７】  コンピュータにて複数の画素からなる実写の画像データを処理する画像処理プログラムを記録した媒体であって、
入力した画像データ全体を対象とし、該画像データを構成する画素から、予め用意した複数の手法でサンプリングを行ない、該サンプリングの結果を所定の基準で集計し、集計結果に基づいて画像を評価する機能と、
該評価結果に基づいて、前記画像データに対する画像処理の内容を決定する機能と、
該決定された内容の画像処理を、前記画像データ全体に施して、該画像データを変換する機能と
を実現する画像処理プログラムを記録した媒体。
【請求項８】  複数の画素からなる実写の画像データを処理する画像処理方法であって、
前記画像データを入力し、
入力した画像データ全体を対象とし、該画像データを構成する画素から、予め用意した複数の手法でサンプリングを行ない、該サンプリングの結果を所定の基準で集計し、集計結果に基づいて画像を評価し、
該評価結果に基づいて、前記画像データに対する画像処理の内容を決定し、
該決定された内容の画像処理を、前記画像データ全体に施して、該画像データを変換する
画像処理方法。
【手続補正３】
【補正対象書類名】明細書
【補正対象項目名】０００９
【補正方法】変更
【補正の内容】
【０００９】
【課題を解決するための手段】
上記目的を達成するため、本発明の画像処理装置は、
複数の画素からなる実写の画像データを処理する画像処理装置であって、
前記画像データを入力する画像データ入力手段と、
前記画像データ全体を対象とし、該画像データを構成する画素から、予め用意した複数の手法でサンプリングを行ない、該サンプリングの結果を所定の基準で集計し、集計結果に基づいて画像を評価する画像データ評価手段と、
該評価結果に基づいて、前記画像データに対する画像処理の内容を決定する決定手段と、
該決定された内容の画像処理を、前記画像データ全体に施して、該画像データを変換する変換手段と
を備えたことを特徴とする。
【手続補正４】
【補正対象書類名】明細書
【補正対象項目名】００１０
【補正方法】変更
【補正の内容】
【００１０】
上記のように構成した画像処理装置の発明においては、処理の前提として、画像データ入力手段が複数の画素からなる実写の画像データを入力し、画像データ評価手段が、画像データ全体を対象とし、該画像データを構成する画素から、予め用意した複数の手法でサンプリングを行ない、該サンプリングの結果を所定の基準で集計し、集計結果に基づいて画像を評価する。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
サンプリングに際しては、サンプリングの仕方に対する基準を変えることによって結果的に複数の基準を採用することも可能である。それぞれのサンプリング結果に対して重み付け係数を調整して合算することにより、結果的に複数の評価基準に基づく評価結果に対してそれぞれ重み付けを持たせて評価したことに対応する。
【手続補正７】
【補正対象書類名】明細書
【補正対象項目名】００１５
【補正方法】変更
【補正の内容】
【００１５】
このようなサンプリング方法の一つとして、均等にサンプリングして集計する構成を考えることができる。
【手続補正８】
【補正対象書類名】明細書
【補正対象項目名】００１７
【補正方法】変更
【補正の内容】
【００１７】
一方、他のサンプリング手法として、各画素における隣接画素との変化度合いが所定以上大きい画素をエッジ画素としてサンプリングの対象とする構成を考えることができる。
【手続補正９】
【補正対象書類名】明細書
【補正対象項目名】００２０
【補正方法】変更
【補正の内容】
【００２０】
評価基準の重み付けは必ずしも固定的でなければならないわけではなく、上記の画像処理装置において、各評価基準に対する重み付けを変更可能に構成してもよい。
【手続補正１０】
【補正対象書類名】明細書
【補正対象項目名】００２７
【補正方法】変更
【補正の内容】
【００２７】
その一例として、本発明の記録媒体は、コンピュータにて複数の画素からなる実写の画像データを処理する画像処理プログラムを記録した媒体であって、
入力した画像データ全体を対象とし、該画像データを構成する画素から、予め用意した複数の手法でサンプリングを行ない、該サンプリングの結果を所定の基準で集計し、集計結果に基づいて画像を評価する機能と、
該評価結果に基づいて、前記画像データに対する画像処理の内容を決定する機能と、
該決定された内容の画像処理を、前記画像データ全体に施して、該画像データを変換する機能と
を実現する画像処理プログラムを記録したことを特徴とする。
【手続補正１１】
【補正対象書類名】明細書
【補正対象項目名】００３０
【補正方法】変更
【補正の内容】
【００３０】
これらの画像処理装置やソフトウェアでの実現手法は、画像処理方法として適用可能なことはいうまでもなく、本発明の画像処理方法は、複数の画素からなる実写の画像データを処理する画像処理方法であって、
前記画像データを入力し、
入力した画像データ全体を対象とし、該画像データを構成する画素から、予め用意した複数の手法でサンプリングを行ない、該サンプリングの結果を所定の基準で集計し、集計結果に基づいて画像を評価し、
該評価結果に基づいて、前記画像データに対する画像処理の内容を決定し、
該決定された内容の画像処理を、前記画像データ全体に施して、該画像データを変換することを要旨としている。
【手続補正１２】
【補正対象書類名】明細書
【補正対象項目名】００３１
【補正方法】変更
【補正の内容】
【００３１】
上記のように構成した画像処理方法の発明においては、処理の前提として、画像データ入力手段が複数の画素からなる実写の画像データを入力し、画像データ評価手段が、画像データ全体を対象とし、該画像データを構成する画素から、予め用意した複数の手法でサンプリングを行ない、該サンプリングの結果を所定の基準で集計し、集計結果に基づいて画像を評価する。
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】変更
【補正の内容】
【００３３】
【発明の効果】
以上説明したように本発明は、画像データ全体を対象とし、該画像データを構成する画素から、予め用意した複数の手法でサンプリングを行ない、該サンプリングの結果を所定の基準で集計し、集計結果に基づいて画像を評価するため、この評価に基づく画像処理にあたって柔軟に対応することが可能な画像処理装置を提供することができる。
【手続補正１５】
【補正対象書類名】明細書
【補正対象項目名】００３９
【補正方法】変更
【補正の内容】
【００３９】
さらに、上記記録媒体や画像処理方法の発明によれば、同様にして画像の特徴を判定するにあたって柔軟に対応することが可能な画像処理プログラムを記録した媒体や画像処理方法を提供することができる。